(57)【要約】【課題】容易に開封できるとともに、開封時の音で盗難を防ぐことができるようにする。【解決手段】表側クラムシェル６２の外周部の１８個の溶着部９１が、裏側クラムシェルパックの対応する溶着部と溶着されている。そして、この溶着部９１を囲む周囲の一部（収納部９３側）に切り込み９２が形成されている。クラムシェルパック５１の開封時、購入者が裏側クラムシェルから表側クラムシェル６２を剥がそうと力を入れると、この切り込み９２がガイドとなって、表側クラムシェル６２の外周部における端寄りの一部が音を立てて破壊される。本発明は、製品を収納するクラムシェルパックに適用することができる。【選択図】図６
2010168073.tif 000002
【特許請求の範囲】
【請求項１】
一対のクラムシェルと、
前記一対のクラムシェルの外周部に、前記一対のクラムシェルの間に製品を挟んで収納した状態で溶着される複数の溶着部と、
前記一対のクラムシェルの少なくとも一方のクラムシェルの前記溶着部を囲む周囲の一部に形成される切り込みと
を有する包装形態。
【請求項２】
前記切り込みは、前記溶着部を囲む周囲のうち、製品の収納部側に形成される
請求項１に記載の包装形態。
【請求項３】
前記一対のクラムシェルの前記溶着部は、凹凸の嵌合構造で構成される
請求項２に記載の包装形態。
【請求項４】
前記溶着部を囲む周囲の他の一部にはミシン目が形成されている
請求項３に記載の包装形態。
【請求項５】
前記一対のクラムシェルの間に収納されるクラムシェルであって、前記製品を収納するための収納部が形成された内側クラムシェルをさらに有する
請求項２に記載の包装形態。
【請求項６】
前記一対のクラムシェルおよび前記内側クラムシェルは、一体に連結された形状に成形されている
請求項５に記載の包装形態。
【請求項７】
前記一対のクラムシェルの一方には、孔部が形成されており、
前記一対のクラムシェルの他方は、前記孔部において、前記内側クラムシェルと溶着される
請求項６に記載の包装形態。
【発明の詳細な説明】
【技術分野】
【０００１】
本発明は、包装形態に関し、特に、容易に開封できるとともに、開封時の音で盗難を防ぐことができるようにした包装形態に関する。
【背景技術】
【０００２】
透明なプラスチック製の表側クラムシェルと裏側クラムシェルによって製品を挟んで収容する構造のクラムシェルパックは、製品の販売時に製品を効果的に見せながら陳列する包装形態の１つとして幅広く利用されている。
【０００３】
従来のクラムシェルパックは、盗難防止のため、その外周部のほぼ全周をインパルスシーラまたは超音波で溶着されていた（特許文献１および２参照）。
【０００４】
図１および図２を参照して、従来のクラムシェルパックの構成について説明する。なお、図１は、従来のクラムシェルパックの構成例を示す正面図であり、図２は、従来のクラムシェルパックの構成例を示す斜視図である。
【０００５】
図１および図２の例において、クラムシェルパック１は、表側クラムシェル１１と裏側クラムシェル１２で構成されている。表側クラムシェル１１と裏側クラムシェル１２は、例えば、塩化ビニール、PS（ポリスチレン）、またはPET（ポリエチレンテレフタレート）などのプラスチックを材料とした薄肉可撓性の成形品であり、透明のプラスチック材料で成形される。
【０００６】
裏側クラムシェル１２は、平らなシート状で形成されている。表側クラムシェル１１には、収納部１１ａ、収納部１１ｂ、および収納部１１ｃが形成されている。収納部１１ａは、例えば、製品の付属品などを収納する。収納部１１ｂは、製品として、例えば、ウォークマン（商標）に代表される携帯型オーディオプレーヤを収納する。収納部１１ｃは、例えば、付属のイヤホン（耳に差し込む形式のヘッドホン）を収納する。なお、図２の例においては、収納部１１ｂと収納部１１ｃの図示は省略されている。
【０００７】
図示せぬ携帯型オーディオプレーヤとイヤホンは、それらを収納部１１ｂおよび収納部１１ｃに固定し、かつ、付属品を見せないように収納部１１ａに収納するように形成された図示せぬ台紙とともに表側クラムシェル１１と裏側クラムシェル１２の間に収納される。そして、それらが収納された状態で、表側クラムシェル１１の外周部１１ｄと裏側クラムシェル１２の外周部１２ｄのほぼ全周を接着することにより、表側クラムシェル１１と裏側クラムシェル１２が一体化される。この接着は、インパルスシーラまたは超音波で熱溶着（斜線部分）によってなされる。
【０００８】
また、表側クラムシェル１１と裏側クラムシェル１２のそれぞれの上端部には、製品の販売時にクラムシェルパック１を引掛部に吊り下げるための吊り下げ用孔部１１ｅと１２ｅがそれぞれ形成されている。
【０００９】
このクラムシェルパック１に収納される製品を取り出す場合には、クラムシェルパック１を破ることによって製品を取り出すこととなる。すなわち、表側クラムシェル１１と裏側クラムシェル１２には、図２に示されるように、収納部１１ａの周囲にミシン目２１が形成されている。このミシン目２１に沿って、ハサミ３１等で切り込みを入れることにより、購入者は、クラムシェルパック１から製品を取り出すことができる。
【００１０】
以上のように、クラムシェルパックは、ハサミなどを使用しないと開封しにくい。すなわち、クラムシェルパックの外周部のほぼ全周を溶着することにより、クラムシェルパックを手で開けることが困難になり、盗難を防ぐことができた。
【先行技術文献】
【特許文献】
【００１１】
【特許文献１】特開２００１−２８７７７１号公報
【特許文献２】特開２００１−９７４４４号公報
【特許文献３】特開２００４−５１１３３号公報
【発明の概要】
【発明が解決しようとする課題】
【００１２】
しかしながら、クラムシェルパックの開封時には、ハサミ使用の注記があるにもかかわらず、購入者が購入後にすぐにクラムシェルパックを手で無理やり開けようとし、そのとき、指を切ってしまうなど怪我をしてしまうことがあった。
【００１３】
なお、クラムシェルパックの開封時に、クラムシェルパックの収納部の破壊を防ぐべく、特許文献３には、外周部を部分的に溶着するクラムシェルパックが提案されている。しかしながら、特許文献３に記載のクラムシェルパックでは、熱溶着部の位置を囲むようにミシン目状の溝が形成されていることから、クラムシェルパックの開封が容易であるとともに、開封時の音が小さく、盗難を防止することが困難になってしまう。
【００１４】
本発明はこのような状況に鑑みてなされたものであり、容易に開封できるとともに、開封時の音で盗難を防ぐことができるようにするものである。
【課題を解決するための手段】
【００１５】
本発明の一側面の包装形態は、一対のクラムシェルと、前記一対のクラムシェルの外周部に、前記一対のクラムシェルの間に製品を挟んで収納した状態で溶着される複数の溶着部と、前記一対のクラムシェルの少なくとも一方のクラムシェルの前記溶着部を囲む周囲の一部に形成される切り込みとを有する。
【００１６】
前記切り込みは、前記溶着部を囲む周囲のうち、製品の収納部側に形成される。
【００１７】
前記一対のクラムシェルの前記溶着部は、凹凸の嵌合構造で構成されることができる。
【００１８】
前記溶着部を囲む周囲の他の一部にはミシン目が形成されている。
【００１９】
前記一対のクラムシェルの間に収納されるクラムシェルであって、前記製品を収納するための収納部が形成された内側クラムシェルをさらに有することができる。
【００２０】
前記一対のクラムシェルおよび前記内側クラムシェルは、一体に連結された形状に成形されている。
【００２１】
前記一対のクラムシェルの一方には、孔部が形成されており、前記一対のクラムシェルの他方は、前記孔部において、前記内側クラムシェルと溶着されることができる。
【００２２】
本発明の一側面においては、一対のクラムシェルの外周部に、前記一対のクラムシェルの間に製品を挟んで収納した状態で溶着される複数の溶着部が設けられ、前記一対のクラムシェルの少なくとも一方の前記溶着部を囲む周囲の一部には切り込みが形成される。
【発明の効果】
【００２３】
本発明の一側面によれば、製品を効果的に見せながら収納することができる。また、本発明の一側面によれば、容易に開封できるとともに、開封時の音で盗難を防ぐことができる。
【図面の簡単な説明】
【００２４】
【図１】従来のクラムシェルパックの構成例を示す正面図である。
【図２】従来のクラムシェルパックの構成例を示す斜視図である。
【図３】本発明の一実施形態に係るクラムシェルパックの部品構成を示す展開図である。
【図４】クラムシェルパックの梱包方法を説明する図である。
【図５】梱包状態のクラムシェルパックを示す図である。
【図６】熱溶着後のクラムシェルパックの構成例を示す正面図である。
【図７】溶着部の切り込み形状例を示す図である。
【図８】溶着部の開封後の形状例を示す図である。
【図９】溶着部の開封後の形状の他の例を示す図である。
【図１０】図９の溶着部の再梱包方法を説明する図である。
【図１１】クラムシェルパックの開封方法を説明する背面図である。
【図１２】クラムシェルパックの開封方法を説明する斜視図である。
【図１３】クラムシェルパックの開放状態を示す側面図である。
【発明を実施するための形態】
【００２５】
［クラムシェルパックの部品構成例］
図３は、本発明の一実施形態に係る包装形態としてのクラムシェルパックの部品構成例を示す展開図である。なお、図３の例において斜線は開口（孔）部分を表している。
【００２６】
クラムシェルパック５１は、PS（ポリスチレン）、PET（ポリエチレンテレフタレート）、または、再生PETなどの透明樹脂を材料として成形される。クラムシェルパック５１は、大まかには、一対のクラムシェルである、表側クラムシェル６２と裏側クラムシェル６３により構成され、間に製品が収納された状態でそれらが重ね合わされることにより、製品が梱包されるものである。
【００２７】
より具体的には、クラムシェルパック５１は、差し込みフラップ６１、表側クラムシェル６２、裏側クラムシェル６３、内側クラムシェル６４、およびガイド６５からなり、それらが、接続部７１乃至７４において一体に連結された形状で形成されている。
【００２８】
差し込みフラップ６１は、接続部７１において表側クラムシェル６２に連結されており、製品の販売時にクラムシェルパック１を引掛部に吊り下げるための吊り下げ用孔部８１を有している。製品の梱包時、差し込みフラップ６１は、接続部７１がヒンジとして用いられて、表側クラムシェル６２の後方に折り込まれる。その際、差し込みフラップ６１の端部６１ａは、表側クラムシェル６２の後方に先に折り込まれる裏側クラムシェル６３に形成された開口部１０３に差し込まれる。
【００２９】
表側クラムシェル６２は、接続部７１において差し込みフラップ６１と連結されており、接続部７２において裏側クラムシェル６３に連結されている。表側クラムシェル６２の外周部には、裏側クラムシェル６３の溶着部１０１と熱溶着するための溶着部９１が丸い凸型に形成されている。図３の例において、溶着部９１は、等間隔に９個ずつ外周部の左右に設けられている。
【００３０】
さらに、溶着部９１を囲む周囲の一部には、スリット状の切り込み９２が形成（加工）されている。この切り込み９２は、溶着部９１を囲む周囲のうち、収納部９３側に形成される。なお、切り込み９２の詳細は、図７を参照して後述する。
【００３１】
表側クラムシェル６２の中央部には、製品を収納した内側クラムシェル６４を収納するための収納部９３が形成されている。表側クラムシェル６２は、収納部９３の中に内側クラムシェル６４を収納した状態で、接続部７２をヒンジとして裏側クラムシェル６３を後ろ側に折り込んで、裏側クラムシェル６３と重ね合わされる。
【００３２】
また、表側クラムシェル６２は、上端部（図中左側）に、吊り下げ用孔部８１に対応する吊り下げ用孔部９４を有している。表側クラムシェル６２は、さらに、下端部（図中右側）に、表側クラムシェル６２と裏側クラムシェル６３の熱溶着時に、裏側クラムシェル６３と内側クラムシェル６４の熱溶着を同時に行うために形成された孔部９５を有している。
【００３３】
裏側クラムシェル６３は、平らなシート状に形成されている。裏側クラムシェル６３は、接続部７２において表側クラムシェル６２と連結されており、接続部７３において内側クラムシェル６４と連結されている。裏側クラムシェル６３の外周部には、表側クラムシェル６２の溶着部９１と熱溶着するための溶着部１０１が形成されている。
【００３４】
溶着部１０１は、一対のクラムシェルが合わさった場合に、凸型の溶着部９１がそれに被さるよう、溶着部９１よりも一回り小さい丸い凸型となるように形成されている。すなわち、図３においては、クラムシェルパック５１が展開されているため、溶着部９１が凸型であるのに対して、溶着部１０１は凹型で形成されている。なお、溶着部９１が凹型の場合には、溶着部１０１は凸型で形成される。
【００３５】
また、裏側クラムシェル６３の上端部（図中右側）には、吊り下げ用孔部８１および９４に対応する吊り下げ用孔部１０２と、差し込みフラップ６１の端部６１ａを差し込むための開口部１０３が形成されている。
【００３６】
内側クラムシェル６４は、接続部７３において裏側クラムシェル６３と連結されており、接続部７４においてガイド６５と連結されている。内側クラムシェル６４には、収納部１１１、収納部１１２、および収納部１１３が形成されている。収納部１１１は、例えば、製品の付属品などを収納する。収納部１１２は、製品として、例えば、ウォークマン（商標）に代表される携帯型オーディオプレーヤを収納する。収納部１１３は、例えば、付属のイヤホン（耳に差し込む形式のヘッドホン）を収納する。
【００３７】
図示せぬ携帯型オーディオプレーヤとイヤホンは、図示せぬ台紙とともに内側クラムシェル６４と裏側クラムシェル６３の間に収納される。この台紙は、それらを収納部１１２および収納部１１３に固定し、かつ、付属品を見せないように収納部１１１に収納するように型抜きして形成されたものである。台紙には、例えば、商品名やPOSコードなどが印刷されており、収納部１１３や吊り下げ用孔部８１、９４、１０２、および１１４に対応する孔が形成されている。
【００３８】
内側クラムシェル６４は、収納部１１１乃至１１３の中に製品や台紙などを収納した状態で、接続部７３をヒンジとして裏側クラムシェル６３の後ろ側に折り込まれて、裏側クラムシェル６３と重ね合わされる。
【００３９】
また、内側クラムシェル６４の上端部（図中左側）には、吊り下げ用孔部８１、９４、および１０２に対応する吊り下げ用孔部１１４が形成されている。内側クラムシェル６４の下端部（図中右側）のガイド６５の両側には、さらに、裏側クラムシェル６３と熱溶着するための溶着部１１５が形成されている。溶着部１１５には、実際に溶着される接着箇所の周囲の一部に切り込み１１６が形成されている。この切り込み１１６は、接着箇所を囲む周囲のうち、収納部１１１側に形成される。
【００４０】
ガイド６５は、梱包時、接続部７４をヒンジとして、裏側クラムシェル６３のシート状の面に対してほぼ垂直になるように、内側クラムシェル６４の収納部１１１側に折り込まれる。ガイド６５は、このとき、収納部１１１よりも出っ張り、かつ、表側クラムシェル６２の収納部９３に収まる長さに形成されている。したがって、開封時、購入者が、内側クラムシェル６４の収納部１１１よりも出っ張っているガイド６５を引っ張ることにより、溶着部１１５が溶着されていても、裏側クラムシェル６３から内側クラムシェル６４を容易に剥がすことができる。
【００４１】
なお、図３の例においては、溶着部９１および溶着部１０１の形状が丸の例を説明したが、丸に限らず、溶着部９１および溶着部１０１は、楕円や四角など、他の形状で形成されることもできる。
【００４２】
［クラムシェルパックの梱包方法例］
次に、図４を参照して、クラムシェルパック５１の梱包方法を説明する。なお、図４は、図３のクラムシェルパック５１の側面図である。図４の例においては、上から順に、製品の収納前、内側クラムシェル６４を裏側クラムシェル６３に重ね合わせた状態、および裏側クラムシェル６３を表側クラムシェル６２に重ね合わせた状態の３つの状態のクラムシェルパック５１が示されている。
【００４３】
まず、ガイド６５は、矢印Ｐ１に示されるように、接続部７４をヒンジとして、内側クラムシェル６４の収納部１１１の底面に沿うように、折り込まれる前の状態に対して垂直に折り込まれる。
【００４４】
次に、内側クラムシェル６４は、収納部１１１乃至１１３の中に製品や台紙などを収納した状態で、矢印Ｐ２に示されるように、接続部７３をヒンジとして裏側クラムシェル６３の後ろ側に折り込まれて、裏側クラムシェル６３と重ね合わされる。このとき、製品や台紙などは、内側クラムシェル６４と裏側クラムシェル６３の間に収納される。
【００４５】
その後、裏側クラムシェル６３は、内側クラムシェル６４を表側クラムシェル６２の収納部９３に収納するように、矢印Ｐ３に示されるように、接続部７２をヒンジとして表側クラムシェル６２の後ろ側に折り込まれて、表側クラムシェル６２と重ね合わされる。このとき、製品が収納された内側クラムシェル６４は、表側クラムシェル６２と裏側クラムシェル６３の間に収納される。
【００４６】
表側クラムシェル６２と裏側クラムシェル６３が重ね合わされた後、差し込みフラップ６１は、矢印Ｐ４に示されるように、接続部７１をヒンジとして、表側クラムシェル６２の後方に折り込まれる。その際、差し込みフラップ６１の端部６１ａは、表側クラムシェル６２の後方に折り込まれる裏側クラムシェル６３に形成される開口部１０３に差し込まれる。
【００４７】
以上により、クラムシェルパック５１に製品が収納され、クラムシェルパック５１が梱包される。
【００４８】
［梱包状態のクラムシェルパックの例］
図５は、梱包状態のクラムシェルパック５１を示す図である。図５Ａは、製品が収納された梱包状態のクラムシェルパック５１を示す斜視図であり、図５Ｂは、図５Ａのクラムシェルパック５１を図中下側から見た底面図である。なお、図５Ａの例においては、クラムシェルパック５１内の図示と、溶着部９１を囲む周囲の一部の切り込み９２の図示は省略されている。
【００４９】
このように梱包された後、クラムシェルパック５１に設けられた１８個の溶着部９１と溶着部１０１は、インパルスシーラまたは超音波で熱溶着されることにより、熱溶着され、表側クラムシェル６２と裏側クラムシェル６３が一体化される。また、このとき、同時に、内側クラムシェル６４の溶着部１１５と裏側クラムシェル６３も、表側クラムシェル６２に形成される孔部９５において熱溶着される。
【００５０】
［熱溶着後のクラムシェルパックの例］
図６は、熱溶着後のクラムシェルパック５１の構成例を示す正面図である。なお、図６の例において、斜線のハッチングが熱溶着された接着箇所を表している。
【００５１】
すなわち、図６の例においては、表側クラムシェル６２の外周部の左側の９個の溶着部９１が、対応する溶着部１０１と溶着され、表側クラムシェル６２の外周部の右側の９個の溶着部９１が、対応する溶着部１０１と溶着されている。そして、この溶着部１０１を囲む周囲の一部（収納部９３側）に切り込み９２が形成されている。
【００５２】
クラムシェルパック５１の開封時、購入者が裏側クラムシェル６３から表側クラムシェル６２を持って剥がそうと力を入れると、この切り込み９２がガイドとなって、表側クラムシェル６２の外周部の一部がちぎれて破壊される。これにより、裏側クラムシェル６３から表側クラムシェル６２を容易に剥がすことができるとともに、この破壊時の音が大きいので、盗難を抑制することができる。
【００５３】
また、表側クラムシェル６２の下端部の孔部９５においては、内側クラムシェル６４に形成された溶着部１１５が裏側クラムシェル６３と溶着されている。これにより、裏側クラムシェル６３から表側クラムシェル６２を剥がしたときに、製品が飛び出るのを防ぐことができる。
【００５４】
さらに、この溶着部１１５においても、溶着箇所を囲む周囲の一部（収納部９３側）に切り込み１１６が形成されている。したがって、裏側クラムシェル６３から内側クラムシェル６４を剥した後、購入者がガイド６５を引っ張ることで、この切り込み１１６がガイドとなって、内側クラムシェル６４（溶着部１１５）の対応する部分がちぎれて破壊される。これにより、裏側クラムシェル６３から内側クラムシェル６４を容易に剥がすことができるとともに、この破壊時の音が大きいので、盗難を抑制することができる。
【００５５】
以上のようにして、クラムシェルパック５１が開封され、クラムシェルパック５１から製品を取り出すことができる。
【００５６】
［切り込み形状の例］
図７は、溶着部９１の切り込み形状の例を示す図である。図７の例においては、裏側クラムシェル６３の溶着部１０１は、表側クラムシェル６２の溶着部９１よりもひとまわり小さく形成されている。そして、溶着部９１と溶着部１０１は、丸い凸型に形成されており、その中央の接着箇所（斜線部分）において熱溶着されている。
【００５７】
図７の例においては、５種類の切り込み９２ａ乃至９２ｅの例が示されている。また、図７の例の場合、溶着部９１の左側に収納部９３が配置されているものとする。
【００５８】
切り込み９２ａは、溶着部９１を囲む円の周囲のうち、収納部９３側の半円に形成されている。切り込み９２ｂは、溶着部９１を囲む円の周囲のうち、収納部９３側の半円より少し出るように形成されている。すなわち、切り込み９２ｂの長さは、切り込み９２ａの長さよりも少し長い。
【００５９】
切り込み９２ｃは、溶着部９１を囲む円の周囲のうち、収納部９３側の半円を通り、半円から少し外へ広がるように形成されている。
【００６０】
切り込み９２ｄは、溶着部９１を囲む正方形の周囲のうち、収納部９３側の２／３ほどで形成されている。
【００６１】
切り込み９２ｅは、溶着部９１の接着箇所を囲む円の周囲のうちほぼ半円に形成されている。溶着部９１の接着箇所を囲む円の周囲のうちの切り込み９２ｅ以外の部分には、ミシン目状の溝加工（以下、ミシン目と称する）１５１が形成されている。なお、切り込み９２ｅの例の場合、溶着部９１と溶着部１０１は、クラムシェルパック５１が再梱包可能となるように、凹凸の嵌合構造で構成されている。切り込み９２ｅの詳細は、図９および図１０を参照して後述する。
【００６２】
なお、切り込み９２の形状や長さは、図７の例に限定されず、開封しやすさと音の大きさの兼ね合いに応じて、さまざまな形状や長さで形成されることができる。
【００６３】
［溶着部の開封後の形状例］
図８は、切り込み９２ａの場合における溶着部の開封後の形状の例を示す図である。
【００６４】
図８Ａに示されるように、開封時には、切り込み９２ａをガイドとして、表側クラムシェル６２の外周部における端寄りの一部１４１が破壊される。すなわち、切り込み９２ａが収納部９３側に形成されることにより、収納部９３が破壊されることを防ぐことができる。また、開封が容易であり、かつ、ある程度破壊部分がわかることから、開封時の怪我も防止される。さらに、この破壊の際、切り込み９２ａ以外の場所にミシン目もないことから、大きな音が発生する。これにより、このクラムシェルパック５１を破壊しての盗難を抑制することができる。
【００６５】
そして、図８Ｂに示されるように、開封後には、溶着部９１を含む、切り込み９２ａと破壊された外周部における端寄りの一部１４１に囲まれた部分１４２は、表側クラムシェル６２から切り落とされる。そして、切り落とされた溶着部９１を含む部分１４２は、溶着部１０１と溶着されているので裏側クラムシェル６３側に残ることになる。この場合、破壊された部分１４２がバラバラになることがないので、ゴミの片付けが楽になる。
【００６６】
なお、図８の例においては、切り込み９２ａの場合を例に説明したが、切り込み９２ｂ乃至９２ｄの場合も同じである。
【００６７】
図９は、切り込み９２ｅの場合における溶着部の開封後の形状の例を示す図である。
【００６８】
図９の例の場合、溶着部９１の内側の接着箇所を囲む円の周囲には、切り込み９２ｅとミシン目１５１が形成される。この場合、開封時には、ミシン目１５１に沿って、表側クラムシェル６２が切断されて、図９Ａに示されるように、溶着部９１には、開口部１７１が形成される。したがって、開封時の音は、図８の例の場合よりも小さくなってしまうが、表側クラムシェル６２が破壊されることを抑制することができる。
【００６９】
すなわち、開封後には、図９Ｂに示されるように、切り込み９２ｅとミシン目１５１からなる円の接着箇所１６１が、表側クラムシェル６２から切り落とされてしまい、表側クラムシェル６２には、開口部１７１が形成される。このとき、裏側クラムシェル６３の溶着部１０１の接着箇所あたりに、切断された接着箇所１６１が残ることになる。
【００７０】
さらに、切り込み９２ｅの場合の溶着部９１および溶着部１０１には、図１０に示されるように、突形状（アンダー）１８１および１８２がそれぞれ設けられており、溶着部９１および溶着部１０１は、凹凸の嵌合構造からなるロック機構を有する。したがって、開封後に、溶着部９１には開口部１７１が形成され、溶着部１０１には溶着部９１の接着箇所１６１が残ったとしても、それらの嵌合構造には影響がないため、矢印に示されるように、溶着部９１と溶着部１０１は、再度、合わせ嵌めることができる。すなわち、クラムシェルパック５１を再梱包することが可能になる。
【００７１】
このように溶着部を凹凸の嵌合構造に形成して再梱包可能にするようにしたので、収納部を嵌合構造にする場合と異なり、収納部の形状が制約されることがなく、収納部を製品に合わせて、どのようにでも形成可能となる。
【００７２】
なお、図９および図１０の例の場合であっても、ミシン目１５１を形成することなく、切り込み９２ｅのみで形成するようにしてもよい。
【００７３】
［クラムシェルパックの開封例］
図１１は、溶着後のクラムシェルパック５１を後ろから見た背面図である。図１１の例においては、差し込みフラップ６１の端部６１ａが、裏側クラムシェル６３に形成された開口部１０３に差し込まれている。
【００７４】
開封時、購入者は、図１２に示されるように、この差し込みフラップ６１の端部６１ａを開口部１０３から抜き出し、この差し込みフラップ６１と表側クラムシェル６２をそれぞれどちらかの手に持ち、それぞれ逆方向に引っ張る。例えば、差し込みフラップ６１は、矢印Ｐ５の方向に引っ張られる。
【００７５】
この引っ張る力により、溶着部９１を囲む周囲に形成される切り込み９２をガイドとして、表側クラムシェル６２の外周部の一部が大きな音をたてて破られる。これにより、図１３に示されるように、溶着された表側クラムシェル６２と裏側クラムシェル６３とを容易に開けることができるとともに、破られたときの音で盗難を抑制することができる。
【００７６】
そして、さらに、矢印Ｐ６に示されるように、ガイド６５が裏側クラムシェル６３に対してほぼ垂直に、かつ、収納部１１１の底面に沿うように収納部１１１よりも長く出ている。したがって、裏側クラムシェル６３を抑えながら、このガイド６５を引っ張ることで、内側クラムシェル６４を裏側クラムシェル６３から容易に剥がすことができる。
【００７７】
また、このとき、内側クラムシェル６４に形成された溶着部１１５においても、切り込み１１６をガイドとして溶着部１１５の一部が大きな音を立てて破られる。これにより、製品を内側クラムシェル６４から取り出すことができるとともに、破られたときの音で盗難を抑制することができる。
【００７８】
なお、上記説明においては、溶着部９１および溶着部１０１の数は、収納部９３を挟んで左右に９個ずつとしたが、溶着部の数、大きさ、位置、および設置間隔は限定されず、収納する製品、必要とする開封時の音の大きさなどに応じた構成とすることができる。また、溶着部は等間隔に設置されるとしたが、必ずしも等間隔ではなくてもよい。
【００７９】
また、上記説明においては、表側クラムシェル６２の溶着部９１を囲む周囲の一部に切り込み９２を設ける例を説明したが、裏側クラムシェル６３の溶着部１０１を囲む周囲の一部に切り込みを設けるようにすることもできる。さらに、両方のクラムシェルの溶着部を囲む周囲の一部に切り込みを設けるようにすることもできる。
【００８０】
さらに、上記説明においては、内側クラムシェル６４を設ける例を説明したが、内側クラムシェル６４がない場合にも本発明は適用される。
【００８１】
本発明の実施の形態は、上述した実施の形態に限定されるものではなく、本発明の要旨を逸脱しない範囲において種々の変更が可能である。
【符号の説明】
【００８２】
５１  クラムシェルパック，  ６１  差し込みフラップ，  ６２  表側クラムシェル，  ６３  裏側クラムシェル，６４  内側クラムシェル，  ６５  ガイド，  ９１  溶着部，  ９２  切り込み，  １０１  溶着部，  １１５  溶着部，  １１６  切り込み，  １５１  ミシン線
【図１】
2010168073.tif 000003
【図２】
2010168073.tif 000004
【図３】
2010168073.tif 000005
【図４】
2010168073.tif 000006
【図５】
2010168073.tif 000007
【図６】
2010168073.tif 000008
【図７】
2010168073.tif 000009
【図８】
2010168073.tif 000010
【図９】
2010168073.tif 000011
【図１０】
2010168073.tif 000012
【図１１】
2010168073.tif 000013
【図１２】
2010168073.tif 000014
【図１３】
2010168073.tif 000015
【手続補正書】
【提出日】平成22年3月12日(2010.3.12)
【手続補正１】
【補正対象書類名】明細書
【補正対象項目名】００２８
【補正方法】変更
【補正の内容】
【００２８】
差し込みフラップ６１は、接続部７１において表側クラムシェル６２に連結されており、製品の販売時にクラムシェルパック５１を引掛部に吊り下げるための吊り下げ用孔部８１を有している。製品の梱包時、差し込みフラップ６１は、接続部７１がヒンジとして用いられて、表側クラムシェル６２の後方に折り込まれる。その際、差し込みフラップ６１の端部６１ａは、表側クラムシェル６２の後方に先に折り込まれる裏側クラムシェル６３に形成された開口部１０３に差し込まれる。